(57)【要約】      （修正有）【課題】フォーマットを所望していない記録メディアを誤って装着してしまった場合に、そのまま内容確認せずにフォーマットしてしまう危険性を低減することができる撮像装置を提供する。【解決手段】撮像装置は、映像を記録・再生する記録媒体を備える。記録モードにおいて記録媒体の初期化の指示を選択させる画面を表示する第１の表示手段を備え、初期化の指示が選択されると、記録媒体に記録された映像を再生する再生モードに切替える第１の切替え手段を備える。再生モードに切替えると、記録媒体に記録されている映像のサムネイル画面の表示を行うとともに、初期化を実行するか否かを選択させる第２の表示手段を備え、初期化の実行が選択されると、初期化を実行する実行手段を備える。また初期化が実行された場合及び第２の表示手段において初期化の実行が選択されなかった場合に、記録モードに切替える第２の切替え手段を備える。【選択図】図４
2010041489.tif 000002
【特許請求の範囲】
【請求項１】
動画像と静止画像を含む映像を記録・再生する記録媒体を備える撮像装置において、
前記記録媒体に前記映像を記録する記録モードにおいて前記記録媒体の初期化の指示を選択させる画面を表示する第１の表示手段と、
前記第１の表示手段において前記初期化の指示が選択されると、前記記録媒体に記録された前記映像を再生する再生モードに切替える第１の切替え手段と、
前記第１の切替え手段により前記再生モードに切替えると、前記記録媒体に記録されている前記映像のサムネイル画面の表示を行うとともに、前記初期化を実行するか否かを選択させる第２の表示手段と、
前記第２の表示手段において前記初期化の実行が選択されると、前記初期化を実行する実行手段と、
前記実行手段により前記初期化が実行された場合及び前記第２の表示手段において前記初期化の実行が選択されなかった場合に、前記記録モードに切替える第２の切替え手段と、
を備えることを特徴とする撮像装置。
【請求項２】
前記第１の切替え手段により前記再生モードに切替える場合に、撮像部の記録準備状態を保持することを特徴とする請求項１記載の撮像装置。
【請求項３】
前記第２の表示手段により前記サムネイル画面の表示を行う場合に、前記サムネイル画面が複数ページに亘るときは、一定時間毎に前記サムネイル画面のページを送ることを特徴とする請求項１または２記載の撮像装置。
【請求項４】
動画像と静止画像を含む映像を記録・再生する記録媒体を備える撮像装置の記録媒体の初期化方法において、
前記記録媒体に前記映像を記録する記録モードにおいて前記記録媒体の初期化の指示を選択させる画面を表示する第１の表示ステップと、
前記第１の表示ステップにおいて前記初期化の指示が選択されると、前記記録媒体に記録された前記映像を再生する再生モードに切替える第１の切替えステップと、
前記第１の切替えステップにより前記再生モードに切替えると、前記記録媒体に記録されている前記映像のサムネイル画面の表示を行うとともに、前記初期化を実行するか否かを選択させる第２の表示ステップと、
前記第２の表示ステップにおいて前記初期化の実行が選択されると、前記初期化を実行する実行ステップと、
前記実行ステップにより前記初期化が実行された場合及び前記第２の表示ステップにおいて前記初期化の実行が選択されなかった場合に、前記記録モードに切替える第２の切替えステップと、
を備えることを特徴とする撮像装置の記録媒体の初期化方法。
【請求項５】
前記第１の切替えステップにより前記再生モードに切替える場合に、撮像部の記録準備状態を保持することを特徴とする請求項４記載の撮像装置の記録媒体の初期化方法。
【請求項６】
前記第２の表示ステップにより前記サムネイル画面の表示を行う場合に、前記サムネイル画面が複数ページに亘るときは、一定時間毎に前記サムネイル画面のページを送ることを特徴とする請求項４または５記載の撮像装置の記録媒体の初期化方法。
【発明の詳細な説明】
【技術分野】
【０００１】
本発明は、撮像装置及び撮像装置の記録媒体の初期化方法に関する。
【背景技術】
【０００２】
近年、ＤＶＤやハードディスク（ＨＤＤ）、メモリカード等の半導体メモリ等ランダムアクセス可能な記録媒体（記録メディア）に映像（動画、静止画を含む）を記録するデジタルビデオカメラが普及している。
【０００３】
上記ランダムアクセス可能な記録メディアを採用したことにより、記録した映像（コンテンツ）について、頭出し不要、上書き記録防止、データバックアップ時のＰＣ親和性向上、等様々なユーザメリットが生まれたと言える。
【０００４】
しかし、その反面、記録前に各記録メディアの初期化（フォーマット）が必要になる場合があるというデメリットもある。さらに、記録メディアのフォーマットでは、その記録メディアに記録されているコンテンツの全消去となるため、万一、フォーマットを所望しない記録メディアを誤ってフォーマットしてしまうと、記録した掛け替えのない映像を全て消し去ることなる。従って、ユーザーダメージの大きい状況となり得る。
【０００５】
このため、既存のランダムアクセス可能な記録メディアを採用したデジタルビデオカメラでは、フォーマット操作時、実行前に「コンテンツ全消去となりますがフォーマットしますか？」等の注意・確認を喚起し、誤消去を防ごうとしている。
【０００６】
上記デジタルビデオカメラでは、映像を記録する記録モードと記録したコンテンツを再生する再生モードがある。
【０００７】
再生モードにおける記録メディアのフォーマット操作においては、主に、記録メディアに記録されたコンテンツのサムネイル一覧表示画面（サムネイル画面）を見ながらメニューでフォーマット実行を選択する。即ち、コンテンツのサムネイル画面を確認しながらフォーマット操作を行う。
【０００８】
一方、記録モードにおけるフォーマット操作においては、カメラスルー画像やその画面に重畳されたメニュー画面を見ながらフォーマットを実行することになるので、内容確認することなく記録メディアのフォーマット実行が可能である。
【０００９】
従って、記録モードにおけるフォーマット操作は、フォーマットを所望していない記録メディアを誤って装着してしまった場合に、そのまま内容確認せずにフォーマットしてしまう危険性が高いという問題点がある。
【００１０】
そこで、特許文献１では、フォーマット操作機能を、再生モードにおけるメニューにのみ配置することにより、誤消去を防止する技術が提案されている。
【特許文献１】特開２００１−０７８１３４号公報
【発明の開示】
【発明が解決しようとする課題】
【００１１】
しかし、上記従来技術によれば、再生モードにおいて、サムネイル画面を経由してフォーマットを行うとしても、コンテンツが非常に多数記録されている記録メディアの場合に、全てのコンテンツを確認しようとすると、以下の課題がある。
【００１２】
即ち、上記の場合、１枚のサムネイル画面に全てのコンテンツを表示することは難しく、最終枚まで手動でサムネイル画面送りを行い、内容を確認する必要がある。
【００１３】
さらに、上記従来技術によれば、フォーマット操作機能は、再生モードにおけるメニューにのみ配置されているので、撮影モードからはフォーマット操作は実行不能となる。
【００１４】
これにより、例えば、ユーザーが内容確認済みで全消去可能な記録メディアを用いて、早急にフォーマットを行い、完了後に直ちに記録を開始したい場合等は、以下のステップを踏まなくてはならない。
【００１５】
即ち、一度再生モードでフォーマットを実行し、完了後に記録モードに切替えて記録待機とするというステップを踏まなくてはならない。このモードの切替えは、ユーザーに煩わしい操作を強いることになる。
【００１６】
また、デジタルビデオカメラの撮像部であるレンズやセンサ（ＣＣＤやＣＭＯＳ等）等の撮像準備時間（例えば、ズームレンズ位置リセット、フォーカスレンズ位置リセット、センサ内欠陥画素検出とその補正）等の記録不可期間が発生する。そのため、直ちに記録を開始することができず、撮りたい場面を撮り逃がしてしまう危険性がある。
【００１７】
本発明の目的は、フォーマットを所望していない記録メディアを誤って装着してしまった場合に、そのまま内容確認せずにフォーマットしてしまう危険性を低減することができる撮像装置及び撮像装置の記録媒体の初期化方法を提供することにある。
【課題を解決するための手段】
【００１８】
上記目的を達成するために、本発明の撮像装置は、動画像と静止画像を含む映像を記録・再生する記録媒体を備える撮像装置において、前記記録媒体に前記映像を記録する記録モードにおいて前記記録媒体の初期化の指示を選択させる画面を表示する第１の表示手段と、前記第１の表示手段において前記初期化の指示が選択されると、前記記録媒体に記録された前記映像を再生する再生モードに切替える第１の切替え手段と、前記第１の切替え手段により前記再生モードに切替えると、前記記録媒体に記録されている前記映像のサムネイル画面の表示を行うとともに、前記初期化を実行するか否かを選択させる第２の表示手段と、前記第２の表示手段において前記初期化の実行が選択されると、前記初期化を実行する実行手段と、前記実行手段により前記初期化が実行された場合及び前記第２の表示手段において前記初期化の実行が選択されなかった場合に、前記記録モードに切替える第２の切替え手段とを備えることを特徴とする。
【００１９】
本発明の撮像装置の記録媒体の初期化方法は、動画像と静止画像を含む映像を記録・再生する記録媒体を備える撮像装置の記録媒体の初期化方法において、前記記録媒体に前記映像を記録する記録モードにおいて前記記録媒体の初期化の指示を選択させる画面を表示する第１の表示ステップと、前記第１の表示ステップにおいて前記初期化の指示が選択されると、前記記録媒体に記録された前記映像を再生する再生モードに切替える第１の切替えステップと、前記第１の切替えステップにより前記再生モードに切替えると、前記記録媒体に記録されている前記映像のサムネイル画面の表示を行うとともに、前記初期化を実行するか否かを選択させる第２の表示ステップと、前記第２の表示ステップにおいて前記初期化の実行が選択されると、前記初期化を実行する実行ステップと、前記実行ステップにより前記初期化が実行された場合及び前記第２の表示ステップにおいて前記初期化の実行が選択されなかった場合に、前記記録モードに切替える第２の切替えステップとを備えることを特徴とする。
【発明の効果】
【００２０】
本発明の撮像装置によれば、フォーマットを所望していない記録メディアを誤って装着してしまった場合に、そのまま内容確認せずにフォーマットしてしまう危険性を低減することができる。
【発明を実施するための最良の形態】
【００２１】
以下、本発明の実施の形態を図面を参照しながら詳細に説明する。
【００２２】
図１は、本発明の実施の形態に係る撮像装置の正面側外観斜視図、図２は、本発明の実施の形態に係る撮像装置の背面側外観斜視図である。
【００２３】
図１において、撮像装置としてのデジタルビデオカメラ１１は、レンズ１２、ズーム操作を行うズームキー１３、映像（動画像、静止画像）の記録のトリガーを行うトリガーキー１４、各種メニューを切り替えるメニューキー１５を備える。
【００２４】
また、図２において、デジタルビデオカメラ１１は、記録映像の確認や再生映像の視聴を行うＬＣＤモニター２１、外部モニターへ映像出力を行う外部出力端子２２を備えている。
【００２５】
図３は、図１、図２のデジタルビデオカメラの内部構成図である。
【００２６】
以下、その構成を動作と併せて説明する。
【００２７】
被写体像はレンズ１２を通り、撮像素子３２によって電気信号に変換され、カメラ信号処理３３に入る。ここで、レンズ１２、撮像素子３２及びカメラ信号処理３３は撮像部３４を構成する。
【００２８】
カメラ処理部３３で画質補正やノイズリダクションを施した電気信号は、ビデオ信号処理部３５に入り、映像信号として処理され、記録メディア（記録媒体）３６（ＤＶＤ、ＨＤＤ、半導体メモリ等）に対して記録される。また、記録メディア３６は、コンテンツの記録、再生の他、フォーマット、ファイナライズ、全消去等が行われる。
【００２９】
また、ビデオ信号処理部３５は、記録映像の確認や再生映像の視聴を行うＬＣＤモニター制御部・外部映像出力部３７へ映像信号の供給を行う。さらに、ビデオ信号処理部３５は、映像信号に文字情報（タイムコード・記録日時・記録形式・記録メディア情報・電池残量等含む）を重畳して出力する機能を持つ。
【００３０】
デジタルビデオカメラ１１は、上記の各構成部を制御するための制御部３８、制御部３８に対して各種入力を行う操作入力部３９を備える。
【００３１】
（第１の実施の形態）
以上の構成において、映像を記録・再生するデジタルビデオカメラ１１の記録モードにおける記録メディア３６のフォーマット方法を説明する。まず、請求項１に対応する、記録モードにおける記録メディア３６のフォーマット方法を説明する。
【００３２】
図４は、図３のデジタルビデオカメラによって実行される記録モードにおける記録メディアのフォーマット処理の手順を示すフローチャートである。
【００３３】
本処理は、図３における制御部３８の制御の下に実行される。
【００３４】
まず、図５のように、記録モードでメニュー画面からフォーマットを選択すると（ステップＳ４１）、自動で再生モードへ切替り（ステップＳ４２）、図６のように、サムネイル画面の表示とともに「フォーマットしますか？」を表示する（ステップＳ４３）。
【００３５】
ここで、ステップＳ４１は、記録媒体（記録メディア３６）に映像を記録する記録モードにおいて前記記録媒体の初期化の指示を選択させる画面を表示する第１の表示手段として機能する。
【００３６】
また、ステップＳ４２は、第１の表示手段において初期化の指示が選択されると、記録媒体に記録された映像を再生する再生モードに切替える第１の切替え手段として機能する。
【００３７】
また、ステップＳ４３は、第１の切替え手段により再生モードに切替えると、記録媒体に記録されている映像のサムネイル画面の表示を行うとともに、初期化を実行するか否かを選択させる第２の表示手段として機能する。
【００３８】
「フォーマットしますか？」の表示に対し、操作入力部３９から「いいえ」を選択した場合、フォーマットを実行せずに記録モードへ切替える（ステップＳ４４、ステップＳ４９）。
【００３９】
図６のように、「はい」を選択した場合、図７のように、フォーマットを実行し、完了後記録モードへ切替える（ステップＳ４５、ステップＳ４７、ステップＳ４９）。
【００４０】
ここで、ステップＳ４７は、第２の表示手段において初期化の実行が選択されると、初期化を実行する実行手段として機能する。
【００４１】
また、ステップＳ４９は、実行手段により初期化が実行された場合及び第２の表示手段において初期化の実行が選択されなかった場合に、記録モードに切替える第２の切替え手段として機能する。
【００４２】
図８のように、ステップＳ４３でサムネイル画面表示されたコンテンツにカーソルを合わせて、再生を選択した場合は（ステップＳ４６）、図９のようにコンテンツを再生し（ステップＳ４８）する。再生完了またはＳＴＯＰが選択されると、再度サムネイル画面表示（ステップＳ４３）に戻る。
【００４３】
（第２の実施の形態）
次に、請求項２に対応する、デジタルビデオカメラ１１の記録モードにおける記録メディア３６のフォーマット方法を説明する。
【００４４】
図４のフローチャートにおいて、図５のように、記録モードでメニュー画面からフォーマットを選択すると（ステップＳ４１）、自動で再生モードへ切替る（ステップＳ４２）。
【００４５】
ここで、制御部３８は、撮像部３４の記録準備状態（例えば、ズームレンズ位置リセット、フォーカスレンズ位置リセット、センサ内欠陥画素検出とその補正等の各状態）を保持するように制御する。
【００４６】
この制御により、再度、記録モードへ切替るとき（ステップＳ４９）に、撮像部３４の撮像準備時間を短縮し、記録開始までの時間を短くすることが可能である。
【００４７】
（第３の実施の形態）
次に、請求項３に対応する、デジタルビデオカメラ１１の記録モードにおける記録メディア３６のフォーマット方法を説明する。
【００４８】
図４のフローチャートにおいて、記録モードでフォーマットを選択すると、再生モードへ切替り（ステップＳ４２）、図６のように、サムネイル画面の表示と「フォーマットしますか？」を表示する（ステップＳ４３）。
【００４９】
制御部３８は、記録メディア３６に記録された全てのコンテンツのサムネイル画面を表示するに際し、サムネイル画面が複数ページに亘る場合は、ある一定時間毎（例えば５秒程度）に自動でサムネイル画面のページを送るように制御する（図１０参照）。
【００５０】
これにより、ユーザーが手動でサムネイル画面を送る手間を省くことができる。また、記録メディア３６の前半は消去してよいコンテンツであっても、後半には消去してはいけないコンテンツが残っている場合等にも、フォーマット前に確認することができる。
【図面の簡単な説明】
【００５１】
【図１】本発明の実施の形態に係る撮像装置の正面側外観斜視図である。
【図２】本発明の実施の形態に係る撮像装置の背面側外観斜視図である。
【図３】図１、図２のデジタルビデオカメラの内部構成図である。
【図４】図３のデジタルビデオカメラによって実行される記録モードにおける記録メディアのフォーマット処理の手順を示すフローチャートである。
【図５】図２におけるＬＣＤモニターの表示例を示す図である（１）。
【図６】図２におけるＬＣＤモニターの表示例を示す図である（２）。
【図７】図２におけるＬＣＤモニターの表示例を示す図である（３）。
【図８】図２におけるＬＣＤモニターの表示例を示す図である（４）。
【図９】図２におけるＬＣＤモニターの表示例を示す図である（５）。
【図１０】図２におけるＬＣＤモニターの表示例を示す図である（６）。
【符号の説明】
【００５２】
１１  デジタルビデオカメラ
１２  レンズ
２１  ＬＣＤモニター
３２  撮像素子
３３  カメラ信号処理部
３４  撮像部
３５  ビデオ信号処理部
３６  記録メディア
３７  ＬＣＤモニター制御部・外部映像出力部
３８  制御部
３９  操作入力部
【図１】
2010041489.tif 000003
【図２】
2010041489.tif 000004
【図３】
2010041489.tif 000005
【図４】
2010041489.tif 000006
【図５】
2010041489.tif 000007
【図６】
2010041489.tif 000008
【図７】
2010041489.tif 000009
【図８】
2010041489.tif 000010
【図９】
2010041489.tif 000011
【図１０】
2010041489.tif 000012